【手続補正書】
【提出日】平成17年4月4日(2005.4.4)
【手続補正１】
【補正対象書類名】明細書
【補正対象項目名】特許請求の範囲
【補正方法】変更
【補正の内容】
【特許請求の範囲】
【請求項１】
放送チャネル情報に基づいて放送を受信する移動通信装置に対して、この移動通信装置と無線接続可能な通信ネットワークに接続された放送チャネル情報提供装置に記憶されている複数の放送チャネル情報のうち上記移動通信装置の現在位置情報に対応する放送チャネル情報を提供するようにしたことを特徴とする放送チャネル情報提供システム。
【請求項２】
上記移動通信装置は、自己の現在位置情報を上記放送チャネル情報提供装置に通知する位置情報通知部を有するものであり、
上記放送チャネル情報提供装置は、位置情報に対応付けられた複数の放送チャネル情報を記憶する放送チャネル情報記憶部と、上記位置情報通知部から通知された移動通信装置の現在位置情報に対応する放送チャネル情報を上記放送チャネル情報記憶部から抽出する情報チャネル情報抽出部と、この抽出された放送チャネル情報を上記移動通信装置に送信する放送チャネル情報送信部とを有するものであり、
上記移動通信装置は、さらに、上記放送チャネル情報送信部から送信された放送チャネル情報を受信し保持する放送チャネル情報受信・保持部を有するものであることを特徴とする請求項１に記載の放送チャネル情報提供システム。
【請求項３】
上記放送チャネル情報送信部から上記移動通信装置に送信される放送チャネル情報を中継するものであって、所定の位置情報が予め割り当てられた無線基地局を含むものであり、
上記移動通信装置は、さらに、上記無線基地局に割り当てられている位置情報を取得する位置情報取得部を有するものであり、
上記位置情報通知部は、この取得された位置情報を現在位置情報として上記位置情報受信部に通知するものであることを特徴とする請求項２に記載の放送チャネル情報提供システム。
【請求項４】
上記移動通信装置は、さらに、
上記取得された位置情報を保持する位置情報保持部と、
この保持されている位置情報と新たに取得された位置情報とを比較する位置情報比較部と、
この比較の結果２つの位置情報が一致する場合に上記位置情報の送信を禁止する送信制御部とを含むことを特徴とする請求項３に記載の放送チャネル情報提供システム。
【請求項５】
上記無線基地局に割り当てられている位置情報は同じ放送チャネル情報に対応する複数の位置情報を含むものであり、
上記送信制御部は、上記保持されている位置情報が新たに取得された上記複数の位置情報のうちいずれか１つと一致する場合、上記位置情報の送信を禁止するものであることを特徴とする請求項４に記載の放送チャネル情報提供システム。
【請求項６】
上記無線基地局に割り当てられている位置情報と同じ放送チャネル情報とは１対１に対応付けられており、
上記移動通信装置は、さらに、通信対象の無線基地局の近傍に存在する無線基地局のうち接続可能な無線基地局を検索する基地局検索部を含むものであり、
上記位置情報取得部は、この検索された無線基地局に割り当てられている位置情報を近隣位置情報として取得するものであり、
上記位置情報通知部は、上記通信対象の無線基地局に割り当てられている位置情報及び上記近隣位置情報を上記放送チャネル情報提供装置に通知するものであり、
上記放送チャネル情報提供装置は、さらに、上記位置情報及び隣接位置情報に基づいて上記移動通信装置の現在位置情報を推定する位置推定部を有するものであり、
上記放送チャネル情報抽出部は、この推定された現在位置情報に対応する放送チャネル情報を上記放送チャネル情報記憶部から抽出するものであることを特徴とする請求項３又は４に記載の放送チャネル情報提供システム。
【請求項７】
上記無線基地局に割り当てられている位置情報と同じ放送チャネル情報とは１対１に対応付けられており、
上記移動通信装置は、さらに、通信対象の無線基地局の近傍に存在する無線基地局のうち接続可能な無線基地局を検索する基地局検索部を含むものであり、
上記位置情報取得部は、この検索された無線基地局に割り当てられている位置情報を近隣位置情報として取得するものであり、
上記移動通信装置は、さらに、上記通信対象の無線基地局に割り当てられている位置情報及び上記近隣位置情報に基づいて現在位置情報を推定する位置推定部を含むものであり、
上記位置情報通知部は、この推定された現在位置情報を上記放送チャネル情報提供装置に通知するものであることを特徴とする請求項３又は４に記載の放送チャネル情報提供システム。
【請求項８】
所定の位置情報が割り当てられた無線基地局を有し、この無線基地局は、上記放送チャネル情報提供装置に記憶されている複数の放送チャネル情報のうち上記割り当てられている位置情報に対応する放送チャネル情報を格納する放送チャネル情報格納部と、この放送チャネル情報格納部に格納されている放送チャネル情報を同報配信する同報配信部とを有し、
上記移動通信装置は、上記無線基地局から同報配信されている放送チャネル情報を受信し保持する放送チャネル情報受信・保持部を含むものであることを特徴とする請求項１に記載の放送チャネル情報提供システム。
【請求項９】
上記移動通信装置は、さらに、
上記保持されている放送チャネル情報と新たに受信された放送チャネル情報とを比較する放送チャネル情報比較部と、
この比較の結果２つの放送チャネル情報が一致する場合、上記保持されている放送チャネル情報の更新を禁止する送信制御部とを含むものであることを特徴とする請求項８に記載の放送チャネル情報提供システム。
【請求項１０】
上記移動通信装置は、さらに、通信対象の無線基地局の近傍に存在する無線基地局のうち接続可能な無線基地局を検索する基地局検索部と、この基地局検索部で検索された無線基地局から同報配信されている放送チャネル情報のうちいずれかを選択する放送チャネル情報選択部とを含むものであり、
上記放送チャネル情報受信・保持部は、上記放送チャネル情報選択部で選択された放送チャネル情報を保持するものであることを特徴とする請求項８又は９に記載の放送チャネル情報提供システム。
【請求項１１】
上記放送はディジタル放送であり、
上記放送チャネル情報は、チャネル周波数、モード、ガードインターバルからなる放送パラメータ、及び、チャネル番号を有し、上記ディジタル放送の番組を一意に特定するためのディジタル放送チャネル情報であることを特徴とする請求項１乃至１０のいずれかに記載の放送チャネル情報提供システム。
【請求項１２】
上記移動通信装置は、無線音声通信及び無線データ通信を実行する携帯可能な携帯電話機であることを特徴とする請求項１乃至１１のいずれかに記載の放送チャネル情報提供システム。
【請求項１３】
放送チャネル情報に基づいて放送を受信する移動通信装置と無線接続可能な通信ネットワークに接続され、上記移動通信装置に対して上記放送チャネル情報を提供する放送チャネル情報提供装置において、
位置情報に対応付けられた複数の放送チャネル情報を記憶する放送チャネル情報記憶部と、
この記憶されている複数の放送チャネル情報の中から上記移動通信装置の現在位置情報に対応する放送チャネル情報を抽出する放送チャネル情報抽出部と、
この抽出された放送チャネル情報を上記移動通信装置に送信する放送チャネル情報送信部とを含むことを特徴とする放送チャネル情報提供装置。
【請求項１４】
放送チャネル情報に基づいて放送を受信する移動通信装置において、無線接続可能な通信ネットワークから無線送信された放送チャネル情報を受信する放送チャネル情報受信部と、この受信された放送チャネル情報を保持する放送チャネル情報保持部とを含むことを特徴とする移動通信装置。
【請求項１５】
上記移動通信装置は、自己の現在位置情報を上記放送チャネル情報提供装置に通知する位置情報通知部を有するものであり、
上記放送チャネル情報提供装置は、位置情報に対応付けられた複数の放送チャネル情報を記憶する放送チャネル情報記憶部と、上記位置情報通知部から通知された移動通信装置の現在位置情報に対応する放送チャネル情報を上記放送チャネル情報記憶部から抽出する情報チャネル情報抽出部と、この抽出された放送チャネル情報を上記移動通信装置に送信する放送チャネル情報送信部とを有するものであり、
上記移動通信装置は、さらに、上記放送チャネル情報送信部から送信された放送チャネル情報を受信し保持する放送チャネル情報受信・保持部を有するものであることを特徴とする請求項１４に記載の移動通信装置。
【請求項１６】
上記放送チャネル情報送信部から上記移動通信装置に送信される放送チャネル情報を中継するものであって、所定の位置情報が予め割り当てられた無線基地局を含むものであり、
上記移動通信装置は、さらに、上記無線基地局に割り当てられている位置情報を取得する位置情報取得部を有するものであり、
上記位置情報通知部は、この取得された位置情報を現在位置情報として上記位置情報受信部に通知するものであることを特徴とする請求項１５に記載の移動通信装置。
【請求項１７】
上記移動通信装置は、さらに、
上記取得された位置情報を保持する位置情報保持部と、
この保持されている位置情報と新たに取得された位置情報とを比較する位置情報比較部と、
この比較の結果２つの位置情報が一致する場合に上記位置情報の送信を禁止する送信制御部とを含むことを特徴とする請求項１６に記載の移動通信装置。
【請求項１８】
上記無線基地局に割り当てられている位置情報は同じ放送チャネル情報に対応する複数の位置情報を含むものであり、
上記送信制御部は、上記保持されている位置情報が新たに取得された上記複数の位置情報のうちいずれか１つと一致する場合、上記位置情報の送信を禁止するものであることを特徴とする請求項１７に記載の移動通信装置。
【請求項１９】
上記無線基地局に割り当てられている位置情報と同じ放送チャネル情報とは１対１に対応付けられており、
上記移動通信装置は、さらに、通信対象の無線基地局の近傍に存在する無線基地局のうち接続可能な無線基地局を検索する基地局検索部を含むものであり、
上記位置情報取得部は、この検索された無線基地局に割り当てられている位置情報を近隣位置情報として取得するものであり、
上記位置情報通知部は、上記通信対象の無線基地局に割り当てられている位置情報及び上記近隣位置情報を上記放送チャネル情報提供装置に通知するものであり、
上記放送チャネル情報提供装置は、さらに、上記位置情報及び隣接位置情報に基づいて上記移動通信装置の現在位置情報を推定する位置推定部を有するものであり、
上記放送チャネル情報抽出部は、この推定された現在位置情報に対応する放送チャネル情報を上記放送チャネル情報記憶部から抽出するものであることを特徴とする請求項１６又は１７に記載の移動通信装置。
【請求項２０】
上記無線基地局に割り当てられている位置情報と同じ放送チャネル情報とは１対１に対応付けられており、
上記移動通信装置は、さらに、通信対象の無線基地局の近傍に存在する無線基地局のうち接続可能な無線基地局を検索する基地局検索部を含むものであり、
上記位置情報取得部は、この検索された無線基地局に割り当てられている位置情報を近隣位置情報として取得するものであり、
上記移動通信装置は、さらに、上記通信対象の無線基地局に割り当てられている位置情報及び上記近隣位置情報に基づいて現在位置情報を推定する位置推定部を含むものであり、
上記位置情報通知部は、この推定された現在位置情報を上記放送チャネル情報提供装置に通知するものであることを特徴とする請求項１６又は１７に記載の移動通信装置。
【請求項２１】
所定の位置情報が割り当てられた無線基地局を有し、この無線基地局は、上記放送チャネル情報提供装置に記憶されている複数の放送チャネル情報のうち上記割り当てられている位置情報に対応する放送チャネル情報を格納する放送チャネル情報格納部と、この放送チャネル情報格納部に格納されている放送チャネル情報を同報配信する同報配信部とを有し、
上記移動通信装置は、上記無線基地局から同報配信されている放送チャネル情報を受信し保持する放送チャネル情報受信・保持部を含むものであることを特徴とする請求項１４に記載の移動通信装置。
【請求項２２】
上記移動通信装置は、さらに、
上記保持されている放送チャネル情報と新たに受信された放送チャネル情報とを比較する放送チャネル情報比較部と、
この比較の結果２つの放送チャネル情報が一致する場合、上記保持されている放送チャネル情報の更新を禁止する送信制御部とを含むものであることを特徴とする請求項２１に記載の移動通信装置。
【請求項２３】
上記移動通信装置は、さらに、通信対象の無線基地局の近傍に存在する無線基地局のうち接続可能な無線基地局を検索する基地局検索部と、この基地局検索部で検索された無線基地局から同報配信されている放送チャネル情報のうちいずれかを選択する放送チャネル情報選択部とを含むものであり、
上記放送チャネル情報受信・保持部は、上記放送チャネル情報選択部で選択された放送チャネル情報を保持するものであることを特徴とする請求項２１又は２２に記載の移動通信装置。